(57)【要約】【課題】設定内容を簡易に変更し得る通信方法及び通信端末装置を提案する。【解決手段】無線通信に関する自己の設定情報に対する変更要求を受けた場合、変更前の設定内容にしたがって、１又は２以上の他の通信端末とセッションをはり、セッションがはられた他の通信端末に対して、変更すべき設定内容を通知し、自己の設定情報を、変更前の設定内容から変更すべき設定内容に変更する。【選択図】図６
2010033268.tif 000002
【特許請求の範囲】
【請求項１】
無線通信に関する自己の設定情報に対する変更要求を受けた場合、変更前の設定内容にしたがって、１又は２以上の他の通信端末とセッションをはるセッションステップと、
セッションがはられた他の通信端末に対して、変更すべき設定内容を通知する通知ステップと、
上記自己の設定情報を、上記変更前の設定内容から上記変更すべき設定内容に変更する変更ステップと
を有する通信方法。
【請求項２】
上記変更ステップを経てから所定の時間が経過するまでに上記通知ステップで通知した他の全通信端末からの応答が１つでも欠けている場合、上記自己の設定情報を、上記変更前の設定内容に戻す戻しステップと、
上記変更ステップを経てから所定の時間が経過するまでに上記通知ステップで通知した他の全通信端末から応答があった場合、該他の全通信端末に対して、無線通信が成功したことを示すメッセージを送信する送信ステップと
をさらに有し、
上記通知ステップでは、
上記変更すべき設定内容及びその変更タイミングと、上記メッセージを受けなかったときに上記変更前の設定内容に戻すべき、該変更タイミングを経てからの上記メッセージに対する待ち受け期間とを通知する、請求項１に記載の通信方法。
【請求項３】
上記変更ステップを経てから所定の時間が経過するまでに上記通知ステップで通知した他の通信端末から応答がなかった通信端末の割合が閾値未満となる場合、該応答があった他の通信端末に対して無線通信が成功したことを示すメッセージを送信し、該応答がなかった他の通信端末又はその電子機器をユーザに提示する提示ステップ
をさらに有する請求項１に記載の通信方法。
【請求項４】
無線通信に関する設定情報が格納されるメモリと、
無線通信処理部と、
上記無線通信処理部及び上記メモリを制御する制御部と
を有し、
上記制御部は、
上記設定情報に対する変更要求を受けた場合、変更前の設定内容にしたがって、１又は２以上の他の通信端末とセッションをはり、該セッションをはった他の通信端末に対して、変更すべき設定内容を通知した後、上記設定情報を、上記変更前の設定内容から上記変更すべき設定内容に変更する、通信端末装置。
【発明の詳細な説明】
【技術分野】
【０００１】
本発明は通信方法及び通信端末装置に関し、例えば無線通信分野に適用して好適なものである。
【背景技術】
【０００２】
近年、無線通信機能の搭載対象とされる家電機器の種類が増加傾向にあり、ユーザに身近となる家電製品として、例えばテレビジョン装置や録画再生装置などが搭載対象となっている。
【０００３】
無線ＬＡＮ通信システムに新たな端末を増設する場合において、該増設される端末の設定を自動的に行うものが開示されている（例えば特許文献１参照)。
【特許文献１】特開２００８−１３１４２９公報
【発明の開示】
【発明が解決しようとする課題】
【０００４】
しかしながら、無線ＬＡＮ通信システムに新たな端末を増設する場合でなくても、ユーザ自らが設定の変更を希望する場合がある。このような場合、ＬＡＮを構成する各通信端末を個々に設定する必要があり、無線ＬＡＮを構成する通信端末数が多いほど、手続きが煩雑化する。一方、ＬＡＮを構成する各通信端末を一度に設定しようとすると、各端末に対して別途の通信線を確保しなければならず、この場合も手続きが煩雑化する。
【０００５】
本発明は以上の点を考慮してなされたもので、設定内容を簡易に変更し得る通信方法及び通信端末装置を提案しようとするものである。
【課題を解決するための手段】
【０００６】
かかる課題を解決するため本発明は、通信方法であって、無線通信に関する自己の設定情報に対する変更要求を受けた場合、変更前の設定内容にしたがって、１又は２以上の他の通信端末とセッションをはるセッションステップと、セッションがはられた他の通信端末に対して、変更すべき設定内容を通知する通知ステップと、自己の設定情報を、変更前の設定内容から変更すべき設定内容に変更する変更ステップとを経る。
【０００７】
また本発明は、通信端末装置であって、無線通信に関する設定情報が格納されるメモリと、無線通信処理部と、無線通信処理部及びメモリを制御する制御部とをもつ。この制御部は、設定情報に対する変更要求を受けた場合、変更前の設定内容にしたがって、１又は２以上の他の通信端末とセッションをはり、該セッションをはった他の通信端末に対して、変更すべき設定内容を通知した後、設定情報を、変更前の設定内容から変更すべき設定内容に変更する。
【発明の効果】
【０００８】
本発明によれば、通常のデータ通信時にはるべきセッションが、変更すべき設定内容を通知するものとして用いられることになる。したがって、変更内容を入力しさえすれば、自己の設定情報のみならず、変更前の設定情報で無線接続可能となる自己以外の通信端末における設定情報を、新たな通信路の確保を強要させることなく同時期に変更することが可能となる。かくして、設定内容を簡易に変更し得る通信方法及び通信端末装置を実現できる。
【発明を実施するための最良の形態】
【０００９】
以下図面について本発明を詳述する。
【００１０】
（１）本実施の形態による通信システムの全体構成
図１において本実施の形態による通信システム１の全体構成を示す。この通信システム１では、テレビジョン装置２、光ディスク装置３及びアクセスポイント４が例えばＬＡＮ(Local  Area  Network)を通じて接続可能に構築される。
【００１１】
（２）テレビジョン装置の構成
次に、テレビジョン装置２の構成について図２を用いて説明する。このテレビジョン装置２は、チューナ部１１及びデータ処理部１２と、該チューナ部１１及びデータ処理部１２の制御を司る制御部１３とを含む構成とされる。
【００１２】
チューナ部１１には、放送エリア内の基地局から送信される複数のディジタル放送波が、アンテナＡＴを介して供給されると共に、搬送周波数を表す周波数指定データが制御部１３から与えられる。
【００１３】
チューナ部１１の周波数転換部１１Ａは、アンテナＡＴから供給される複数のディジタル放送波のうち、周波数指定データＤ１に表された搬送周波数のディジタル放送波ＢＳを選択し、これをＯＦＤＭ(Orthogonal  Frequency  Division  Multiplexing)復調部１１Ｂに送出する。このとき周波数転換部１１Ａは、ＯＦＤＭ復調部１１ＢからフィードバックされるＡＧＣ(Auto  Gain  Control)信号Ｓ１に基づいて、ディジタル放送波ＢＳの出力を一定のレベルに調整する。
【００１４】
ＯＦＤＭ復調部１１Ｂは、周波数転換部１１Ａから送出されるディジタル放送波ＢＳの信号レベルと、予め規定された信号レベルとの差をＡＧＣ信号Ｓ１として周波数転換部１１Ａにフィードバックする。またＯＦＤＭ復調部１１Ｂは、ディジタル放送波ＢＳに対してＯＦＤＭ復調処理を施すことによって、当該ディジタル放送波ＢＳに重畳されたＭＰＥＧ２(Moving  Picture  Experts  Group  Layer-2)トランスポートストリーム（以下、これを単にトランスポートストリームと呼ぶ）ＴＳを復元し、これをデータ処理部１２のフロントエンド１２Ａに送出する。
【００１５】
フロントエンド１２Ａは、チューナ部１１から送出されるトランスポートストリームＴＳに対して誤り訂正及びスクランブル解除等の各種前処理をそれぞれ施し、当該前処理を施したトランスポートストリームＴＳをデマルチプレクサ１２Ｂに送出する。
【００１６】
このデマルチプレクサ１２Ｂには、フロントエンド１２Ａから供給されるトランスポートストリームＴＳが入力されると共に、制御部１３から供給される番組指定データＤ２が入力される。デマルチプレクサ１２Ｂは、トランスポートストリームＴＳをバッファ１２Ｃに一時的に記憶すると共に、当該一時的に記憶したトランスポートストリームＴＳを所定単位ごとに任意の順序でバッファ１２Ｃから読み出す。
【００１７】
そしてデマルチプレクサ１２Ｂは、トランスポートストリームＴＳに多重化された複数の放送番組のデータから、番組指定データＤ２に表された放送番組名に対応するＭＰＥＧビデオデータＭＶＤ、テロップ等でなるＭＰＥＧサブデータＭＳＤ及びＭＰＥＧオーディオデータＭＡＤを分離し、これらを対応するビデオデコーダ１２Ｄ、サブビデオデコーダ１２Ｅ及びオーディオデコーダ１２Ｆにそれぞれ送出する。
【００１８】
ビデオデコーダ１２Ｄは、ＭＰＥＧビデオデータＭＶＤに対して、ＭＰＥＧ圧縮符号化方式に準拠した所定の伸張処理を施し、この結果得られるビデオデータＶＤを合成部１２Ｇに送出する。サブビデオデコーダ１２Ｅは、ＭＰＥＧサブデータＭＳＤに対して、ＭＰＥＧ圧縮符号化方式に準拠した所定の伸張処理を施し、この結果得られるサブデータＳＤを合成部１２Ｇに送出する。
【００１９】
合成部１２Ｇは、このサブデータＳＤをビデオデータＶＤに重畳し、当該合成されたビデオデータ（以下、これを合成ビデオデータと呼ぶ）ＶＳＤを映像信号生成部１２Ｈに送出する。
【００２０】
映像信号生成部１２Ｈは、合成ビデオデータＶＳＤに対してＡ／Ｄ(Analog/Digital)処理を施した後に、例えばＰＡＬ(Phase  Alternation  by  Line)又はＮＴＳＣ(National  Television  System  Committee)等のテレビジョン方式に準拠した所定のフォーマット変換処理を施す。そして映像信号生成部１２Ｈは、このフォーマット変換処理結果として得られる映像信号ＶＳを表示部（図示せず）に出力する。
【００２１】
一方、オーディオデコーダ１２Ｆは、ＭＰＥＧオーディオデータＭＡＤに対して、ＭＰＥＧ圧縮符号化方式に準拠した所定の伸張処理を施し、この結果得られるオーディオデータＡＤを音声信号生成部１２Ｉに送出する。音声信号生成部１２Ｉは、オーディオデータＡＤに対してＡ／Ｄ処理を施し、この結果得られる音声信号ＡＳをスピーカ（図示せず）に出力する。
【００２２】
このようにしてこのテレビジョン装置２は、所定の放送番組を視聴させることができるようになされている。
【００２３】
かかる構成に加えて、このテレビジョン装置２では制御部１３に対して無線通信端末機５０が接続される。この無線通信端末機５０には、デマルチプレクサ３２から、トランスポートストリームＴＳ、ＭＰＥＧビデオデータＭＶＤ、ＭＰＥＧサブデータＭＳＤ又はＭＰＥＧオーディオデータＭＡＤが、送信用のデータＴＤとして、制御部１３の制御のもとに適宜与えられる。
【００２４】
無線通信端末機５０は、この送信用のデータを光ディスク装置３又はアクセスポイント４に送信する。一方、無線通信端末機５０は、光ディスク装置３又はアクセスポイント４から送信されるデータを受信した場合、該データＲＤを、制御部１３の制御のもとにデマルチプレクサ３２へ供給するようになされている。
【００２５】
したがって、このテレビジョン装置２は、光ディスク装置３において再生されるコンテンツや、アクセスポイント４を経由してインターネット上のサーバーに登録される各種コンテンツ等を視聴させ、また所望の放送番組に関するデータを光ディスクに記録し得るようになされている。
【００２６】
（３）光ディスク装置の構成
次に、光ディスク装置３の構成について図３を用いて説明する。この光ディスク装置３は、ＤＶＤ（Digital  Versatile  Disc）、ＣＤ（Compact  Disc）又はＢＤ（Blu-ray  Disc）等の光ディスクＤＫにデータを記録する記録モードと、該光ディスクＤＫに記録されたデータを再生する再生モードとを有する。
【００２７】
記録モードの場合、システムコントローラ２０は、サーボ制御部２１を介してスピンドルモータ２２を駆動制御することにより、この光ディスク装置３に装填された光ディスクＤＫを回転駆動する。
【００２８】
信号処理部２３は、インターフェイス２４を介して供給される記録用のデータに対して変調処理等の所定の信号処理を施し、得られた記録データをレーザ駆動データとしてレーザ制御部２５に印加する。
【００２９】
レーザ制御部２５は、供給されるレーザ駆動データに応じて光ピックアップ２６内に設けられたレーザダイオード（図示せず）を一定のパワーで点滅駆動する。このレーザダイオードの点滅に応動して光ピックアップ２６から光ディスクＤＫに向けて光ビームＬＢ１が点滅照射され、これにより光ディスクＤＫに記録内容が記録される。
【００３０】
このときこの光ピックアップ２６内に設けられた受光素子（図示せず）からは、光ディスクＤＫで反射される反射光ビームＬＢ２に基づいて生成される信号がシステムコントローラ２０に与えられる。
【００３１】
システムコントローラ２０は、かかる信号に基づいてフォーカスエラー信号及びトラッキングエラー信号を生成する。そしてシステムコントローラ２０は、このフォーカスエラー信号及びトラッキングエラー信号に基づいて、光ピックアップ２６から発射される光ビームＬＢ１が光ディスクＤＫの情報記録面上においてジャストフォーカス及びジャストトラッキングするように、サーボ制御部２１を介して光ピックアップ２６を制御するようになされている。
【００３２】
一方、再生モードの場合、システムコントローラ２０は、記録モードと同様に、サーボ制御部２１を介してスピンドルモータ２２を駆動制御することにより、この光ディスク装置３に装填された光ディスクＤＫを回転駆動する。
【００３３】
またシステムコントローラ２０は、レーザ制御部２５を介して、光ピックアップ２６内のレーザダイオード（図示せず）を一定のパワーで点灯させる。これにより光ピックアップ２６から光ディスクＤＫに向けて光ビームＬＢ１が継続照射され、この光ビームＬＢ１の光ディスク２における反射光ビームＬＢ２に基づいて受光素子（図示せず）から出力される信号がシステムコントローラ２０に与えられる。
【００３４】
システムコントローラ２０は、記録モードと同様に、かかる信号に基づいてフォーカスエラー信号、トラッキングエラー信号及びＲＦ信号を生成し、これらフォーカスエラー信号及びトラッキングエラー信号に基づいて記録モードと同様にしてフォーカス制御及びトラッキング制御を行う一方、当該ＲＦ信号を信号処理部２３に送出する。信号処理部２３は、供給されるＲＦ信号に対して復調処理及び誤り訂正処理等の所定の信号処理を施し、得られた再生データをインタフェース２４に送出する。
【００３５】
このようにしてこの光ディスク装置３においては、光ディスクＤＫにデータを記録し、該光ディスクＤＫに記録されたデータを再生することができるようになされている。
【００３６】
かかる構成に加えて、この光ディスク装置３では信号処理部２３に対して無線通信端末機５０が接続される。この無線通信端末機５０には、信号処理部２３から再生データが、システムコントローラ２０の制御のもとに適宜与えられる。
【００３７】
無線通信端末機５０は、この再生データを送信用のデータとしてテレビジョン装置２又はアクセスポイント４に送信する。一方、無線通信端末機５０は、テレビジョン装置２又はアクセスポイント４から送信されるデータを受信した場合、該データを信号処理部２３に与える。このデータは、記録用のデータとして、レーザ制御部２５を介して光ディスクＤＫに記録される。
【００３８】
したがって、この光ディスク装置３は、テレビジョン装置２において受信される放送番組や、アクセスポイント４を経由してインターネット上のサーバーに登録される各種コンテンツ等を光ディスクＤＫに記録し、また光ディスクＤＫに記録されたデータをテレビジョン装置２で視聴させ得るようになされている。
【００３９】
（４）アクセスポイントの構成
次に、アクセスポイント４の構成について図５を用いて説明する。このアクセスポイント４は、制御部３１に対して、ネットワーク通信処理部３２、ネットワークインターフェイス３３、表示部３４及び無線通信端末機５０を接続することにより構成される。
【００４０】
制御部３１は、無線通信端末機５０から、テレビジョン装置２又は光ディスク装置３から送信されるデータが与えられた場合、ネットワーク通信処理部３２を用いて、該データを、ＴＣＰ(Transmission  Control  Protocol)／ＩＰ(Internet  Protocol)に準拠したデータとして、ネットワークインターフェイス３３を介してインターネット上のサーバー等に送出する。また制御部３１は、ネットワーク通信処理部３２での処理状況等を必要に応じて表示部３４に表示する。
【００４１】
一方、制御部３１は、インターネットを通じてネットワークインターフェイス３２からデータが与えられた場合、無線通信端末機５０に送出する。この場合、無線通信端末機５０は、与えられるデータを送信用のデータとしてテレビジョン装置２又は光ディスク装置３に送信する。また、無線通信端末機５０は、テレビジョン装置２及び光ディスク装置３間を接続する電波中継機としても機能するようにされている。
【００４２】
このようにアクセスポイント４は、インターネット、テレビジョン装置２及び光ディスク装置３間におけるデータの授受を中継するようになされている。
【００４３】
（５）無線通信端末機の構成
次に、無線通信端末機５０の構成について図４を用いて説明する。この無線通信端末機５０は、ＣＰＵ(Central  Processing  Unit)５１に対して、複数種のプログラムが格納されたＲＯＭ(Read  Only  Memory)５２、ＲＡＭ(Random  Access  Memory)５３、メモリ５４、表示制御部５５、ＬＡＮ通信処理部５６及びクロック部５７をバス５８を介して接続した構成とされる。
【００４４】
このメモリ５４には、例えばＳＳＩＤ(Service  Set  IDentifier)、ＩＰ(Internet  Protocol)アドレス及びＷＥＰ(Wired  Equivalent  Privacy)等の暗号方式に要する暗号パラメータ等、無線ＬＡＮに関する設定情報（以下、これをＬＡＮ設定情報と呼ぶ）が記憶される。
【００４５】
ＣＰＵ５１は、電子機器に設けられる操作部から命令が与えられた場合、該命令に対応するプログラムをＲＡＭ５２に展開し、当該展開したプログラムにしたがってメモリ１４、表示制御部５５、ＬＡＮ通信処理部５６又はクロック部５７を適宜制御することによって各種処理を実行する。
【００４６】
例えば、指定端末と通信すべき命令が与えられた場合、ＣＰＵ５１は、メモリ５４に記憶されるＬＡＮ設定情報と、ＬＡＮ通信処理部５６とを用いて、通信対象のデータを暗号化して通信する処理を実行するようになされている。
【００４７】
また例えば、ＬＡＮ設定情報を変更すべき命令が与えられた場合、ＣＰＵ５１は、メモリ５４に記憶されるＬＡＮ設定情報と、表示制御部５５とを用いて、この無線通信端末機５０の搭載対象となる電子機器の表示部に対して、ＬＡＮ設定情報の設定画面を現在のＬＡＮ設定情報の内容とともに表示させる。
【００４８】
そしてＣＰＵ５１は、この設定画面を通じてＬＡＮ設定情報の内容が変更された場合、その変更すべきＬＡＮ設定情報と、現在のＬＡＮ設定情報と、ＬＡＮ通信処理部５６とを用いて、無線ＬＡＮの構築対象とされる自己及び他の電子機器に対するＬＡＮ設定情報を変更する処理（以下、これをＬＡＮ設定情報変更処理とも呼ぶ）を実行するようになされている。
【００４９】
（６）ＬＡＮ設定情報変更処理
次に、ＬＡＮ設定情報変更処理について図６を用いて説明する。この図６は、テレビジョン装置２の無線通信端末機５０が主となって、該テレビジョン装置２と、光ディスク装置３及びアクセスポイント４とに保持されるＬＡＮ設定情報を、該テレビジョン装置２において変更された内容に再設定する場合を一例として挙げたものである。
【００５０】
すなわち、ＣＰＵ５１は、再設定画面を通じてＬＡＮ設定情報が変更された場合、このＬＡＮ設定情報変更処理を開始し、ステップＳＰ１に進んで、当該変更されたＬＡＮ設定情報の種類及び内容に基づいて、ＬＡＮ設定情報を変更すべき無線通信端末機５０を決定する。
【００５１】
例えば、アクセスポイント４と、もとのアクセスポイント４に関与していたテレビジョン装置２及び光ディスク装置３とに対するＳＳＤＩの設定が再設定画面において変更された場合、自己（テレビジョン装置２）、光ディスク装置３及びアクセスポイント４における無線通信端末機５０が、変更すべき無線通信端末機として決定されることになる。
【００５２】
ＣＰＵ５１は、ステップＳＰ２では、通信処理部１６を用いて、ステップＳＰ１で決定した例えば光ディスク装置３及びアクセスポイント４における無線通信端末機５０に対する認証を必要に応じて実行する。またＣＰＵ５１は、メモリ１４に記憶される現在のＬＡＮ設定情報の内容にしたがって、ステップＳＰ１で決定した例えば光ディスク装置３及びアクセスポイント４における無線通信端末機５０との間でセッションを張る。
【００５３】
次いでＣＰＵ５１は、ステップＳＰ３に進んで、ステップＳＰ２でセッションを張った無線通信端末機５０に対して、変更すべきＬＡＮ設定情報の種類及び内容と、仮設定の開始タイミング及び終了タイミングとを示す制御メッセージを送信する。
【００５４】
仮設定の開始タイミングは、例えば、制御メッセージの受信時点からｍ［秒］経過した時点などとされる。また仮設定の終了タイミングは、仮設定したことを示す応答メッセージの送信時点からｎ［秒］経過した時点などとされる。
【００５５】
光ディスク装置３又はアクセスポイント４における無線通信端末機５０では、この制御メッセージが受信された場合、その受信時点からｍ［秒］経過した時点で、自己のＬＡＮ設定情報が、現在の内容を破棄することなく変更内容に置き換えられる（仮設定する）。
【００５６】
そして、テレビジョン装置２の無線通信端末機５０に対して、仮設定したことを示す応答メッセージが送信され、その送信時点からｎ［秒］経過するまで、本設定すべきことを示す通知メッセージが待ち受けられる。
【００５７】
一方、ＣＰＵ５１は、制御メッセージを送信すると、次のステップＳＰ４に進んで、自己のＬＡＮ設定情報を、現在の内容を破棄することなく変更内容に置き換える（仮設定する）。そしてＣＰＵ５１は、ステップＳＰ５に進んで、制御メッセージの送信先からの応答メッセージの待ち受けを開始するとともに、クロック部１７を用いて待ち受け時間を計測し、次のステップＳＰ６に進む。
【００５８】
ＣＰＵ５１は、このステップＳＰ６において、待ち受けを開始してから所定の期間を経過したと判定した場合、ステップＳＰ７に進んで、ＬＡＮ設定情報を変更させた全ての無線通信端末機５０からの応答メッセージの有無を判定する。
【００５９】
ここで、所定期間が経過するまでに、ＬＡＮ設定情報を変更させた全ての無線通信端末機５０から応答メッセージを受けていない場合、このことは、変更後のＬＡＮ設定情報では通信できない無線通信端末機が存在することを意味する。具体的には、例えば、通信帯域を変更した場合であって、その変更対象の通信帯域が、一方の端末では通信可能帯域内であるにもかかわらず他方の端末では通信可能帯域外である場合等といったことが考えられる。
【００６０】
この場合、ＣＰＵ５１は、ステップＳＰ８に進んで、ステップＳＰ４で仮設定したＬＡＮ設定情報をもとの内容に戻した後、このＬＡＮ設定情報変更処理手順を終了する。
【００６１】
したがって、光ディスク装置３又はアクセスポイント４における無線通信端末機５０には、本設定すべきことを示す通知メッセージが通知されることはない。この場合、光ディスク装置３又はアクセスポイント４における無線通信端末機５０では、応答メッセージの送信時点から仮設定の終了タイミングが経過した時点で、ＬＡＮ設定情報がもとの内容に戻される。この結果、この通信システム１ではもとの無線ＬＡＮの構築状態が維持されることとなる。
【００６２】
これに対して、所定期間が経過するまでに、ＬＡＮ設定情報を変更させた全ての無線通信端末機５０から応答メッセージを受けている場合、このことは、変更対象とされた全ての無線通信端末機が、変更後のＬＡＮ設定情報で通信できることを意味する。
【００６３】
この場合、ＣＰＵ５１は、ステップＳＰ９に進んで、ＬＡＮ設定情報における設定内容を維持するとともに変更前の設定内容を破棄（本設定）し、また本設定すべきことを示す通知メッセージを、ステップＳＰ３で制御メッセージを送信した無線通信端末機５０に送信した後、このＬＡＮ設定情報変更処理手順を終了する。
【００６４】
この通知メッセージは、光ディスク装置３又はアクセスポイント４における無線通信端末機５０に対して、応答メッセージの送信時点から仮設定の終了タイミングが経過するまでに伝達される。したがって、光ディスク装置３又はアクセスポイント４における無線通信端末機５０では、仮設定の終了タイミングが経過しても、ＬＡＮ設定情報における設定内容が維持されたまま変更前の設定内容が破棄（本設定）される。この結果、この通信システム１では変更後のＬＡＮ設定情報に基づいて無線ＬＡＮが構築されることとなる。
【００６５】
（７）動作及び効果
以上の構成において、この通信システム１では、設定情報に対する変更要求を受けたテレビジョン装置２の無線通信端末機５０が、変更前のＬＡＮ設定内容にしたがって、無線ＬＡＮを構成する光ディスク装置３及びアクセスポイント４の無線通信端末機５０とセッションをはり、変更すべきＬＡＮ設定内容を通知する。
【００６６】
そして、テレビジョン装置２、光ディスク装置３及びアクセスポイント４の無線通信端末機５０は、ＬＡＮ設定情報を、変更前の設定内容から変更すべき設定内容に変更（仮設定）する。
【００６７】
すなわち、この通信システム１では、図７に示すように、通常のデータ通信時にはるべきＴＣＰ／ＩＰベースの通信路が、変更すべきＬＡＮ設定内容を通知するものとして用いられることになる（図７（Ａ））。一方、従来では、個々の無線通信端末に対してユーザ自らが別々に設定内容を変更していた（図７（Ｂ））。
【００６８】
したがって、この通信システム１では、ＬＡＮ構築対象となるいずれかの電子機器（上述ではテレビジョン装置２）で変更内容を入力しさえすれば、その変更内容を、該電子機器（テレビジョン装置２）のみならずそれ以外の全電子機器（光ディスク装置３及びアクセスポイント４）に対して、新たな通信路の確保を強要させることなく同時期に変更することが可能となる。
【００６９】
またこの通信システム１では、変更要求を受けたテレビジョン装置２の無線通信端末機５０が、変更すべきＬＡＮ設定内容だけでなく、該ＬＡＮ設定内容の変更タイミングと、変更した後にもとのＬＡＮ設定内容に戻すべき条件とを通知するようになされている。
【００７０】
つまり、マスターとして機能するテレビジョン装置２の無線通信端末機５０が、ＬＡＮ構築対象となる無線通信端末に対する、ＬＡＮ設定内容の変更と、もとのＬＡＮ設定内容に戻すこととを制御する。
【００７１】
したがって、仮に、ＬＡＮ構築対象となる無線通信端末が既存のものであったとしても、この通信システム１ではＬＡＮ設定内容を変更し、また変更内容で通信が成立しない場合にはもとのＬＡＮ設定内容に戻すことができる。
【００７２】
以上の構成によれば、ＬＡＮ構築対象となるいずれかの電子機器で変更内容を入力しさえすれば、その変更内容を、該電子機器のみならずそれ以外の全電子機器に対して、新たな通信路の確保を強要させることなく同時期に変更可能としたことにより、設定内容を簡易に変更し得る通信システム１を実現できる。
【００７３】
（８）他の実施の形態
上述の実施の形態では、所定期間が経過するまでに、ＬＡＮ設定情報を変更させた全ての無線通信端末機５０から応答メッセージを受けなかった場合（ステップＳＰ７）、該無線通信端末機５０に対してもとのＬＡＮ設定内容に戻させるようにした。これを変形することも可能である。
【００７４】
具体的には、応答メッセージを受けなかった無線通信端末機５０の割合が所定の閾値以上のときには、全ての無線通信端末機５０をもとのＬＡＮ設定内容に戻させる。一方、応答メッセージを受けなかった無線通信端末機５０の割合が所定の閾値未満のときには、応答メッセージを受けた無線通信端末機５０に対して本設定すべきことを示す通知メッセージを送信し、該応答メッセージを受けなかった無線通信端末機５０を表示部等に提示するようにしてもよい。
【００７５】
このようにすれば、変更後の設定内容で無線通信ができなかった無線通信端末機５０が少ない場合には、その無線通信端末機５０については個々に設定させるとともに、それ以外の無線通信端末機５０については自動で設定させることができる。
【００７６】
また上述の実施の形態は、インフラモードにおいてＬＡＮ設定内容を変更する場合について述べたが、アドホックモードからインフラモードに変更する場合にも、上述の実施の形態の場合と同様にしてＬＡＮ設定内容を変更することができる。
【００７７】
また上述の実施の形態では、通信端末装置（無線通信端末機５０）が搭載される電子機器として、テレビジョン装置２、光ディスク装置３又はアクセスポイント４が適用された。しかしながら、電子機器はこの実施の形態に限定されるものではない。例えば、パーソナルコンピュータ、ＰＤＡ(Personal  Digital  Assistants)、携帯電話機又は家庭用品等に幅広く適用することができる。
【００７８】
また上述の実施の形態では、無線ＬＡＮが適用されたが、例えばＩＥＥＥ(Institute  of  Electrical  and  Electronics  Engineers)１３９４やブルートゥース等の無線通信に適用することもできる。
【産業上の利用可能性】
【００７９】
本発明は、例えば、無線通信で情報を授受する端末に利用可能である。
【図面の簡単な説明】
【００８０】
【図１】通信システムの構成を示す略線図である。
【図２】テレビジョン装置の構成を示すブロック図である。
【図３】光ディスク装置の構成を示すブロック図である。
【図４】アクセスポイントの構成を示すブロック図である。
【図５】無線通信端末機の構成を示すブロック図である。
【図６】ＬＡＮ設定情報変更処理手順を示すフローチャートである。
【図７】本手法と、従来とのＬＡＮ設定情報に対する変更の相違の説明に供する略線図である。
【符号の説明】
【００８１】
１……通信システム、２……テレビジョン装置、３……光ディスク装置、４……アクセスポイント、５０……無線通信端末機、５１……ＣＰＵ、５２……ＲＯＭ、５３……ＲＡＭ、５４……メモリ、５５……表示制御部、５６……通信処理部、５７……クロック部。
【図１】
2010033268.tif 000003
【図２】
2010033268.tif 000004
【図３】
2010033268.tif 000005
【図４】
2010033268.tif 000006
【図５】
2010033268.tif 000007
【図６】
2010033268.tif 000008
【図７】
2010033268.tif 000009